(57)【要約】【課題】表示装置が有する複数の表示パネルを一つの画面として用いる際の、表示の分離感を抑制する。【解決手段】表示領域及び非表示領域を有する表示パネルと、表示領域と重なる第１の面、及び第１の面と連続し、非表示領域と重なる第２の面を有する支持体と、を有する表示ユニットを２つと、該２つの表示ユニットに挟まれる連結部を有し、該２つの表示ユニットを支持する、折りたたみ可能な筐体と、を有し、該２つの表示ユニットは、互いの支持体の第１の面が同じ方向を向き、且つ、互いの支持体の第２の面が対向して、展開された状態の該筐体に配置される表示装置。【選択図】図１
2014225010.tif 000002
【特許請求の範囲】
【請求項１】
表示領域及び非表示領域を有する表示パネルと、前記表示領域と重なる第１の面、及び前記第１の面と連続し、前記非表示領域と重なる第２の面を有する支持体と、を有する表示ユニットを２つと、
前記２つの表示ユニットに挟まれる連結部を有し、前記２つの表示ユニットを支持する、折りたたみ可能な筐体と、を有し、
前記２つの表示ユニットは、互いの前記支持体の前記第１の面が同じ方向を向き、且つ、互いの前記支持体の前記第２の面が対向して、展開された状態の前記筐体に配置される表示装置。
【請求項２】
請求項１において、
前記表示パネルは、可撓性を有する表示装置。
【請求項３】
請求項１又は２において、
前記表示領域は、前記第２の面と重なる表示装置。
【請求項４】
請求項１乃至３のいずれか一項において、
前記２つの表示ユニットは、互いに対向する前記支持体の前記第２の面側で接して、展開された状態の前記筐体に配置される表示装置。
【請求項５】
請求項１乃至４のいずれか一項において、
前記２つの表示ユニットは、前記筐体から着脱可能に配置される表示装置。
【請求項６】
請求項１乃至５のいずれか一項において、
前記２つの表示ユニットの距離が可変である表示装置。
【請求項７】
請求項１乃至６のいずれか一項において、
前記支持体は、前記第２の面と対向し、前記表示パネルの非表示領域と重なる第３の面を有する表示装置。
【請求項８】
請求項７において、
前記第３の面は、前記表示領域と重なる表示装置。
【発明の詳細な説明】
【技術分野】
【０００１】
本発明は、表示装置、電子機器、又はそれらの作製方法に関する。特に、エレクトロルミネッセンス（Ｅｌｅｃｔｒｏｌｕｍｉｎｅｓｃｅｎｃｅ、以下ＥＬとも記す）現象を利用した表示装置、電子機器、又はそれらの作製方法に関する。
【背景技術】
【０００２】
近年、表示装置は様々な用途への応用が期待されており、多様化が求められている。例えば、携帯機器用途等の表示装置では、小型であること、薄型であること、軽量であること等が求められている。一方で、表示装置は大きな画面である（表示領域が広い）ことが望まれ、表示装置における表示領域以外の面積の縮小化（いわゆる狭額縁化）も求められている。
【０００３】
また、ＥＬ現象を利用した発光素子（ＥＬ素子とも記す）は、薄型軽量化が容易である、入力信号に対し高速に応答可能である、直流低電圧電源を用いて駆動可能である等の特徴を有し、表示装置への応用が検討されている。
【０００４】
例えば、特許文献１に、複数のディスプレイを折りたたみ式で開閉できるように構成することにより、大画面を実現し、また、小型化及び軽量化を向上させた携帯用通信装置が開示されている。
【先行技術文献】
【特許文献】
【０００５】
【特許文献１】特開２０００−１８４０２６号公報
【発明の概要】
【発明が解決しようとする課題】
【０００６】
しかし、各ディスプレイは、表示領域を囲むように非表示領域を有するため、特許文献１の構成では、２つのディスプレイのつなぎ目とその近傍に非表示領域が存在する。該非表示領域が広ければ広いほど、複数のディスプレイを用いて表示された一つの画像は、視認者にとって分離したように視認されてしまう。
【０００７】
本発明の一態様は、新規な表示装置又は電子機器を提供することを目的の一とする。または、本発明の一態様は、複数の表示パネルを一つの画面として用いる際に、表示の分離感が抑制された表示装置又は電子機器を提供することを目的の一とする。または、本発明の一態様は、小型である表示装置又は電子機器を提供することを目的の一とする。または、本発明の一態様は、軽量である表示装置又は電子機器を提供することを目的の一とする。または、本発明の一態様は、狭額縁である表示装置又は電子機器を提供することを目的の一とする。または、本発明の一態様は、破損しにくい表示装置又は電子機器を提供することを目的の一とする。
【０００８】
なお、本発明の一態様は、上記の課題の全てを解決する必要はないものとする。
【課題を解決するための手段】
【０００９】
本発明の一態様は、表示領域及び非表示領域を有する表示パネルと、表示領域と重なる第１の面、及び第１の面と連続し、非表示領域と重なる第２の面を有する支持体と、を有する表示ユニットを２つと、該２つの表示ユニットに挟まれる連結部を有し、該２つの表示ユニットを支持する、折りたたみ可能な筐体と、を有し、該２つの表示ユニットは、互いの支持体の第１の面が同じ方向を向き、且つ、互いの支持体の第２の面が対向して、展開された状態の該筐体に配置される表示装置である。
【００１０】
上記構成において、表示パネルは、可撓性を有することが好ましい。
【００１１】
上記構成において、表示領域は、第２の面と重なることが好ましい。
【００１２】
上記構成において、該２つの表示ユニットは、互いに対向する支持体の第２の面側で接して、展開された状態の該筐体に配置されることが好ましい。
【００１３】
上記構成において、該２つの表示ユニットは、該筐体から着脱可能に配置されることが好ましい。
【００１４】
上記構成において、該２つの表示ユニットの距離が可変であることが好ましい。例えば、少なくとも一方の表示ユニットが、他方の表示ユニットに向けて可動であればよい。
【００１５】
上記構成において、支持体は、第２の面と対向し、表示パネルの非表示領域と重なる第３の面を有することが好ましい。さらに、該第３の面が、表示領域と重なることが好ましい。
【００１６】
また、上記各構成の表示装置を用いた電子機器も本発明の一態様である。
【発明の効果】
【００１７】
本発明の一態様では、新規な表示装置又は電子機器を提供できる。または、本発明の一態様では、複数の表示パネルを一つの画面として用いる際に、表示の分離感が抑制された表示装置又は電子機器を提供できる。または、本発明の一態様では、小型である表示装置又は電子機器を提供できる。または、本発明の一態様では、軽量である表示装置又は電子機器を提供できる。または、本発明の一態様では、狭額縁である表示装置又は電子機器を提供できる。または、本発明の一態様では、破損しにくい表示装置又は電子機器を提供できる。
【図面の簡単な説明】
【００１８】
【図１】表示装置及び表示ユニットの一例を示す図。
【図２】表示装置の一例を示す図。
【図３】表示装置及び表示ユニットの一例を示す図。
【図４】表示装置の一例を示す図。
【図５】表示装置の一例を示す図。
【図６】筐体の一例を示す図。
【図７】表示パネルの一例を示す図。
【図８】本発明の一態様の表示パネルの一例を示す図。
【図９】本発明の一態様の表示パネルの一例を示す図。
【図１０】本発明の一態様の表示パネルの一例を示す図。
【図１１】本発明の一態様の表示パネルの一例を示す図。
【図１２】本発明の一態様の表示パネルの作製方法の一例を示す図。
【図１３】本発明の一態様の表示パネルの作製方法の一例を示す図。
【発明を実施するための形態】
【００１９】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００２０】
なお、以下に説明する発明の構成において、同一部分又は同様な機能を有する部分には同一の符号を異なる図面間で共通して用い、その繰り返しの説明は省略する。また、同様の機能を指す場合には、ハッチパターンを同じくし、特に符号を付さない場合がある。
【００２１】
また、図面等において示す各構成の、位置、大きさ、範囲などは、理解の簡単のため、実際の位置、大きさ、範囲などを表していない場合がある。このため、開示する発明は、必ずしも、図面等に開示された位置、大きさ、範囲などに限定されない。
【００２２】
（実施の形態１）
本発明の一態様の表示装置について図１〜図７を用いて説明する。
【００２３】
＜本発明の一態様の表示装置の構成＞
本発明の一態様の表示装置は、２つの表示ユニットと１つの筐体を有する。各表示ユニットは、表示領域及び非表示領域を有する表示パネルと、該表示領域と重なる第１の面、及び第１の面と連続し、該非表示領域と重なる第２の面を有する支持体と、を有する。筐体は、折りたたみ可能である。筐体は、２つの表示ユニットに挟まれる連結部を有する。筐体は、２つの表示ユニットを支持する。２つの表示ユニットは、互いの支持体の第１の面が同じ方向を向き、且つ、互いの支持体の第２の面が対向して、展開された状態の筐体に配置される。表示装置では、支持体の第１の面と重なる表示パネルの表示領域による表示が、表示装置の使用者に視認される。なお、本発明の一態様において、支持体の第１の面とは、支持体の他の面を介さずに、表示パネルの表示領域と重なる面を指す。同様に、本発明の一態様において、支持体の第２の面とは、支持体の他の面を介さずに、表示パネルの非表示領域と重なる面を指す。
【００２４】
本発明の一態様の表示装置は、折りたたみ可能である。したがって、使用者は、表示装置を折りたたんで小型化することで、該表示装置を容易に持ち運ぶことができる。また、使用者は、表示装置を展開し、２つの表示ユニットを一つの画面として用いることで、大画面の表示を視認できる。さらに、本発明の一態様の表示装置では、一方の表示ユニットにおける表示領域と他方の表示ユニットにおける表示領域との間には非表示領域がほとんど存在しない（又は全く存在しない）ため、２つの表示ユニットを一つの画面として用いる際の、表示の分離感が抑制されている。また、表示装置が展開された状態と折りたたまれた状態を繰り返しても、表示パネル自体は変形しない（曲げや伸び縮みを繰り返さない）。つまり、本発明の一態様の表示装置は、変形による表示パネルの寿命の低下等が抑制されており、信頼性が高い。
【００２５】
まず、表示装置の構成の一例について説明する。
【００２６】
図１（Ａ）に表示装置１１０の展開途中の状態の斜視図を示し、図１（Ｂ）に表示装置１１０の折りたたまれた状態の斜視図を示す。
【００２７】
表示装置１１０は、筐体１０３と２つの表示ユニット１０１を有する。２つの表示ユニット１０１は、同一の構成であってもよいし、それぞれ異なる構成であってもよい。
【００２８】
筐体１０３は折りたたみ可能である。筐体１０３は、２つの表示ユニット１０１に挟まれる（具体的には、２つの表示ユニット１０１の間で、該２つの表示ユニット１０１の一部と重なる）連結部１０６（例えば、ヒンジ又は蝶番等）を有する。筐体１０３は、２つの表示ユニット１０１を支持する。
【００２９】
図１（Ａ）では、筐体１０３が凹部を有し、凹部内に表示ユニット１０１が配置されている例を示す。表示ユニット１０１は筐体１０３と接着されていてもよいし、着脱可能に固定されていてもよい。
【００３０】
表示装置１１０は、折りたたみ可能である。したがって、使用者は、表示装置１１０を折りたたんで小型化することで、表示装置１１０を容易に持ち運ぶことができる。また、使用者は、表示装置１１０を展開し、２つの表示ユニットを一つの画面として用いることで、大画面の表示を視認できる。また、表示装置１１０が展開された状態と折りたたまれた状態を繰り返しても、表示ユニット１０１自体は変形しない。つまり、表示装置１１０は、変形による表示ユニット１０１の寿命の低下等が抑制されており、信頼性が高い。
【００３１】
表示ユニット１０１の構成例を図１（Ｃ）、（Ｄ）にそれぞれ示す。
【００３２】
図１（Ｃ）に、表示ユニット１０１ａの斜視図と、斜視図における矢印Ａの方向からみた平面図及び矢印Ｂの方向からみた平面図と、を示す。図１（Ｄ）に、表示ユニット１０１ｂの斜視図と、斜視図における矢印Ａの方向からみた平面図及び矢印Ｂの方向からみた平面図と、を示す。
【００３３】
表示ユニット１０１ａ、ｂは、それぞれ、支持体２０１と表示パネル２０３を有する。表示パネル２０３は、表示領域２０３ａ及び非表示領域２０３ｂを有する。
【００３４】
表示ユニット１０１ａ、ｂでは、斜視図における矢印Ａの方向から視認できる支持体２０１の第１の面と表示領域２０３ａが重なり、斜視図における矢印Ｃの方向から視認できる支持体２０１の第２の面と非表示領域２０３ｂが重なる。さらに、表示ユニット１０１ｂでは、支持体２０１の第２の面と対向する第３の面と非表示領域２０３ｂが重なる。ここで、図１（Ｃ）、（Ｄ）の斜視図における矢印Ｂの方向からみた平面図では、表示パネル２０３における非表示領域２０３ｂを点線で囲って示している。
【００３５】
表示パネルでは、例えば、表示領域を囲むように非表示領域が設けられる。本発明の一態様では、表示ユニット１０１ａのように、支持体２０１の連続する２面の一方（第１の面）が表示領域２０３ａと重なり、他方（第２の面）が非表示領域２０３ｂと重なる。支持体２０１の２面以上に表示パネル２０３を重ねることで、支持体２０１のある１面のみに表示パネル２０３を重ねる場合に比べて、第１の面で表示領域２０３ａが占める面積の割合が大きくなり、表示ユニットをより狭額縁にすることができる。
【００３６】
また、表示ユニット１０１ｂのように、支持体２０１の３面以上に表示パネル２０３が重なり、支持体２０１の連続する３面のうち、離れた２面（第２の面及び第３の面）と非表示領域２０３ｂが重なり、該離れた２面に挟まれた面（第１の面）と表示領域２０３ａが重なることで、第１の面で表示領域２０３ａが占める面積の割合が大きくなり、表示ユニットをより狭額縁にすることができる。
【００３７】
表示ユニット１０１ａ、ｂの少なくとも一方を、図１（Ａ）に示す表示ユニット１０１に適用すると、２つの表示ユニット１０１が接する領域近傍では、一方の表示ユニット１０１における表示領域２０３ａと、他方の表示ユニット１０１における表示領域２０３ａとの間に非表示領域がほとんど存在しない。したがって、２つの表示ユニット１０１を一つの画面として用いる際に、表示の分離感が抑制された表示装置とすることができる。
【００３８】
図１（Ｃ）、（Ｄ）に示すように、非表示領域２０３ｂは、第１の面と対向する面と重なっていてもよい。
【００３９】
非表示領域２０３ｂは、支持体２０１の第１の面と対向する面や、第１の面と連続する面（上記の第２の面や第３の面）に重ねることができるため、本発明の一態様の表示ユニットが有する表示パネルは、狭額縁である必要がない。例えば、有機ＥＬ素子を用いた表示パネルの場合、表示領域２０３ａの外周を囲む非表示領域２０３ｂの面積が広いほど、表示パネルの端部と有機ＥＬ素子との距離が広くなるため好ましい。これにより、表示パネルの外部から水分や酸素等の不純物が有機ＥＬ素子に侵入しにくくなる（又は到達しにくくなる）ため、表示パネルの信頼性を高めることができる。
【００４０】
図７（Ａ）、（Ｂ）に示す表示パネルにおいて、領域３０１が、表示パネルにおいて支持体２０１の第１の面と重なる領域であり、領域３０３が、表示パネルにおいて支持体２０１の第１の面と対向する面や、第１の面と連続する面（上記第２の面や第３の面）と重なる領域とする。図７（Ａ）、（Ｂ）において表示領域２０３ａの面積は同じである。さらに、表示領域２０３ａは全て第１の面と重なる領域に含まれる。図７（Ａ）に比べて、図７（Ｂ）は、領域３０３が広い。したがって、表示パネルの端部を通って有機ＥＬ素子に、表示パネルの外部の水分や酸素等の不純物が到達しにくくなるため、好ましい。例えば、表示パネル２０３が、支持体２０１の第１の面と対向する面と重なる領域の面積は、該第１の面と対向する面の面積の１０％以上が好ましく、３０％以上がさらに好ましく、５０％以上が特に好ましい。
【００４１】
また、図１（Ｃ）、（Ｄ）に示すように、表示領域２０３ａは、第１の面だけでなく、第２の面と重なっていることが好ましい。表示ユニット１０１ａ、ｂの少なくとも一方を、図１（Ａ）に示す表示ユニット１０１に適用すると、２つの表示ユニット１０１が接する領域近傍では、一方の表示ユニット１０１における表示領域２０３ａと、他方の表示ユニット１０１における表示領域２０３ａとの間に非表示領域がほとんど存在しない。したがって、２つの表示ユニット１０１を一つの画面として用いる際に、表示の分離感が抑制された表示装置とすることができる。
【００４２】
さらに、表示ユニット１０１ｂでは、表示領域２０３ａが第３の面と重なると、第１の面における表示領域２０３ａが占める面積の割合が大きくなるため好ましい。
【００４３】
次に、表示装置の別の構成例について説明する。
【００４４】
図２（Ａ）に表示装置１２０の展開された状態の平面図を示し、図２（Ｂ）に表示装置１２０の折りたたまれた状態の平面図を示し、図２（Ｃ）に表示装置１２０の展開された状態の斜視図を示し、図２（Ｄ）に表示装置１２０の折りたたまれた状態の斜視図を示す。
【００４５】
表示装置１２０は、筐体１０３ａと２つの表示ユニット（それぞれ支持体２０１及び表示パネル２０３を有する）とを有する。２つの表示ユニットの距離は可変である。本発明の一態様の表示装置では、２つの表示ユニットの少なくとも一方が図２（Ａ）の紙面横方向に可動であり、表示装置１２０では、２つの表示ユニットの双方が図２（Ａ）の紙面横方向に可動である例を示す。
【００４６】
ここで表示装置１２０では、２つの表示ユニットの双方が、図３（Ａ）に示した表示ユニット１０１ｃである場合を示したが、これに限られない。例えば、図１（Ｃ）、（Ｄ）にそれぞれ示した表示ユニット１０１ａ、ｂや図３（Ｂ）に示す表示ユニット１０１ｄを用いてもよい。例えば、２つの表示ユニットの一方が表示ユニット１０１ａ、他方が表示ユニット１０１ｃであってもよい。なお、表示ユニット１０１ｃの構成は、凸部２０５を有する以外は、表示ユニット１０１ａと同様であり、表示ユニット１０１ｄの構成は、凸部２０５を有する以外は、表示ユニット１０１ｂと同様である。
【００４７】
図６（Ａ）に、筐体１０３ａの斜視図及び平面図を示す。筐体１０３ａは折りたたみ可能である。筐体１０３ａは、２つの表示ユニットに挟まれる連結部１０６を有する。筐体１０３ａは、凹部を有し、該凹部内に配置された２つの表示ユニットを支持する。図２（Ａ）〜（Ｄ）では、筐体１０３ａが有する凹部内に表示ユニットが着脱可能に配置されている例を示す。
【００４８】
図２（Ａ）において、２つの表示ユニットは、紙面横方向に可動であり、支持体２０１が有する凸部２０５（ツメ）や、筐体１０３ａが有する凸部２０７（ツメ）により、筐体１０３ａに表示ユニットを固定することができる。凸部２０５や凸部２０７の位置は特に限定されない。例えば、凸部２０７は、筐体１０３ａの凹部の底面や側面に接して設けられていればよい。
【００４９】
図２（Ａ）〜（Ｄ）では、２つの表示ユニットが離れている例を示したが、表示ユニットの少なくとも一方を動かすことで、２つの表示ユニットを接触又は近接させることができる。後述する表示装置１４０にて図面を用いて詳述する。
【００５０】
展開された状態の表示装置で表示を行う際、２つの表示ユニットは接していることが好ましい。具体的には、２つの表示ユニットは、互いに対向する支持体２０１の第２の面側で接して、展開された状態の筐体１０３ａに配置されることが好ましい。これにより、２つの表示ユニットを一つの画面として用いる際の、表示の分離感が抑制できる。なお、展開された状態の表示装置で、２つの表示ユニットがそれぞれ独立に表示を行う場合は、２つの表示ユニットの位置は特に限定されない。
【００５１】
また、表示装置を折りたたむ際、２つの表示ユニットは離れていることが好ましい。これにより、図２（Ｄ）に示す表示装置における連結部１０６を有する側面では、筐体１０３ａと同一平面上に表示ユニットが露出しないため、支持体２０１や表示パネル２０３が傷つき破損することを抑制できる。
【００５２】
図２（Ｂ）では、表示ユニットが表示装置の内側に配置されるように表示装置が折りたたまれる構成を示したが、本発明はこれに限られない。
【００５３】
図３（Ｃ）に示す表示装置１３０は、表示ユニットが表示装置１３０の外側に配置されるように折りたたまれる。したがって、折りたたまれた状態でも、表示装置１３０の対向する２面では、それぞれ独立に１つの表示ユニットによる表示を行うことができる。
【００５４】
本発明の一態様の表示装置は、表示ユニットを表示装置の外側及び内側のどちらに配置されるようにも折りたたむことができる。このような構成では、表示装置を展開して表示ユニットによる表示を視認するだけでなく、表示ユニットが表示装置の外側に配置されるように表示装置を折りたたむことでも、表示ユニットによる表示を視認することができる。そして、表示ユニットが表示装置の内側に配置されるように表示装置を折りたたむことで、表示装置を使用しない際に表示パネルが傷つき破損することを防止できる。
【００５５】
さらに、表示装置の別の構成例について説明する。
【００５６】
図４（Ａ）、図５（Ａ）に表示装置１４０の展開された状態の平面図を示し、図４（Ｂ）、図５（Ｂ）に表示装置１４０の展開された状態の斜視図を示し、図５（Ｃ）に表示装置１４０の折りたたまれた状態の斜視図を示す。図４（Ａ）、（Ｂ）では、２つの表示ユニットが接していない場合の例を示し、図５（Ａ）〜（Ｃ）では、２つの表示ユニットが接する場合の例を示す。
【００５７】
表示装置１４０は、筐体１０３ｂと２つの表示ユニット（それぞれ支持体２０１及び表示パネル２０３を有する）とを有する。ここでは、２つの表示ユニットの双方がそれぞれ図３（Ａ）に示す表示ユニット１０１ｃである場合を示す。
【００５８】
図６（Ｂ）に、筐体１０３ｂの斜視図及び平面図を示す。筐体１０３ｂは折りたたみ可能である。筐体１０３ｂは、２つの表示ユニットに挟まれる連結部１０６を有する。筐体１０３ｂは、溝部（凹部）を有し、該溝部内に配置された２つの表示ユニットを支持する。図４（Ａ）、（Ｂ）、図５（Ａ）〜（Ｃ）では、筐体１０３ｂが有する溝部内に表示ユニットが着脱可能に配置されている例を示す。筐体１０３ｂは、支持体２０１の第１の面の一部（特に表示パネル２０３の非表示領域と重なる部分が好ましい）を覆う。これにより、表示装置が表示ユニットと筐体とに分解しにくくなり好ましい。
【００５９】
図４（Ａ）、図５（Ａ）において、２つの表示ユニットは、紙面横方向に可動であり、支持体２０１が有する凸部２０５（ツメ）や、筐体１０３ｂが有する凸部２０７（ツメ）により、筐体１０３ｂに表示ユニットを固定することができる。
【００６０】
表示装置１４０では、２つの表示ユニットの少なくとも一方を動かすことで、２つの表示ユニットを接触又は近接させることができる。
【００６１】
展開された状態の表示装置で表示を行う際、図５（Ａ）、（Ｂ）に示すように、２つの表示ユニットは接していることが好ましい。具体的には、２つの表示ユニットは、互いに対向する支持体２０１の第２の面側で接して、展開された状態の筐体１０３ｂに配置されることが好ましい。これにより、２つの表示ユニットを一つの画面として用いる際の、表示の分離感が抑制できる。
【００６２】
また、表示装置を折りたたむ際、２つの表示ユニットは離れていることが好ましい（図２（Ｄ）の表示装置１２０の斜視図を参酌できる）。図５（Ｃ）に示す、２つの表示ユニットが接している状態では、表示装置における連結部１０６を有する側面にて、筐体１０３ｂと同一平面上に表示ユニットが露出するため、支持体２０１や表示パネル２０３が傷つき破損する場合がある。
【００６３】
＜本発明の一態様の表示装置に用いることができる材料＞
次に、本発明の一態様の表示装置に用いることができる材料の一例について説明する。
【００６４】
［筐体、支持体］
筐体や支持体は、プラスチック、金属、合金、ゴム等を用いて形成できる。プラスチックやゴム等を用いることで、軽量であり、破損しにくい筐体や支持体を得られるため、好ましい。
【００６５】
筐体に表示ユニットを接着する場合や、支持体と表示パネルを接着する場合には、各種接着剤を用いることができ、例えば、二液混合型の樹脂などの常温で硬化する樹脂、光硬化性の樹脂、熱硬化性の樹脂などの樹脂を用いることができる。また、シート状の接着剤を用いてもよい。
【００６６】
［表示パネル］
表示パネルは可撓性を有することが好ましい。なお、表示パネルは可撓性を有していなくてもよい。例えば、表示装置に合うようにあらかじめ成形された表示パネルを用いてもよい。
【００６７】
表示パネルが有する表示素子は特に限定されず、液晶素子、発光素子（発光ダイオード、有機ＥＬ素子、無機ＥＬ素子等）、プラズマチューブ等を用いることができる。
【００６８】
例えば、有機ＥＬ素子を用いることで、軽量であり、且つ可撓性を有する表示パネルを容易に実現できるため、好ましい。
【００６９】
表示パネルは、アクティブマトリクス方式が適用されていても、パッシブマトリクス方式が適用されていてもよい。
【００７０】
アクティブマトリクス方式が適用された表示パネルである場合、表示パネルが有するトランジスタの構造は限定されず、トップゲート型のトランジスタを用いてもよいし、ボトムゲート型のトランジスタを用いてもよい。また、ｎチャネル型トランジスタを用いても、ｐチャネル型トランジスタを用いてもよい。また、トランジスタに用いる材料についても特に限定されない。例えば、シリコンやＩｎ−Ｇａ−Ｚｎ系金属酸化物等の酸化物半導体をチャネル形成領域に用いたトランジスタを適用することができる。
【００７１】
表示パネルは、タッチセンサ等のセンサを有していてもよい。
【００７２】
表示パネルが有する基板には、靱性が高い材料を用いることが好ましい。これにより、耐衝撃性に優れ、破損しにくい表示パネルを実現できる。例えば、有機樹脂や、厚さの薄い金属材料や合金材料を用いた基板を用いることで、ガラス基板を用いる場合に比べて、軽量であり、破損しにくい表示パネルを実現できる。
【００７３】
可撓性を有する表示パネルは、様々な作製方法を用いて作製できる。可撓性基板が作製工程でかかる温度に耐えられる場合は、該可撓性基板上に直接素子（表示素子、トランジスタ、カラーフィルタ等）を作製すればよい。
【００７４】
基板として、可撓性を有するが透水性が高く、耐熱性が低い材料（樹脂など）を用いなければならない場合、作製工程で基板に高温をかけることができないため、該基板上に作製する素子の作製条件に制限がある。このような場合は、耐熱性の高い作製基板上に表示パネルの一部の構成を作製した後、作製基板から可撓性基板へと該構成を転置する技術を用いて可撓性の表示パネルを作製することができる。耐熱性の高い作製基板上でトランジスタ等の作製を行えるため、信頼性の高いトランジスタや十分に低い透水性を有する絶縁層を形成することができる。そして、それらを可撓性基板へと転置することで、信頼性が高く可撓性の表示パネルを作製できる。
【００７５】
本実施の形態は、他の実施の形態と適宜組み合わせることができる。
【００７６】
（実施の形態２）
本実施の形態では、本発明の一態様の表示装置に用いることができるフレキシブルな表示パネルについて図８〜図１３を用いて説明する。本実施の形態で例示する表示パネルを曲げた際、表示パネルにおける曲率半径の最小値は、１ｍｍ以上１５０ｍｍ以下、１ｍｍ以上１００ｍｍ以下、１ｍｍ以上５０ｍｍ以下、１ｍｍ以上１０ｍｍ以下、又は２ｍｍ以上５ｍｍ以下とすることができる。本実施の形態の表示パネルは、小さな曲率半径（例えば２ｍｍ以上５ｍｍ以下）で折り曲げても素子が壊れることがなく、信頼性が高い。表示パネルを小さな曲率半径で折り曲げることで、本発明の一態様の表示装置を薄型化することができる。また、光取り出し部２２４を大きな曲率半径（例えば、５ｍｍ以上１００ｍｍ以下）で折り曲げることで、表示装置の側面に広い表示部を設けることができる。本実施の形態の表示パネルを曲げる方向は問わない。また、曲げる箇所は１か所であっても２か所以上であってもよい。
【００７７】
＜具体例１＞
図８（Ａ）に表示パネルの平面図を示し、図８（Ａ）における一点鎖線Ａ１−Ａ２間の断面図の一例を図８（Ｂ）に示す。
【００７８】
図８（Ｂ）に示す表示パネルは、基板２２１、接着層２２３、絶縁層２２５、複数のトランジスタ、導電層１５７、絶縁層２２７、絶縁層２２９、複数の発光素子、絶縁層２１１、封止層２１３、絶縁層２６１、着色層２５９、遮光層２５７、絶縁層２５５、接着層２５８、及び基板２２２を有する。
【００７９】
導電層１５７は、接続体２１５を介してＦＰＣ２２８と電気的に接続する。
【００８０】
発光素子２３０は、下部電極２３１、ＥＬ層２３３、及び上部電極２３５を有する。下部電極２３１は、トランジスタ２４０のソース電極又はドレイン電極と電気的に接続する。下部電極２３１の端部は、絶縁層２１１で覆われている。発光素子２３０はトップエミッション構造である。上部電極２３５は透光性を有し、ＥＬ層２３３が発する光を透過する。
【００８１】
発光素子２３０と重なる位置に、着色層２５９が設けられ、絶縁層２１１と重なる位置に遮光層２５７が設けられている。着色層２５９及び遮光層２５７は絶縁層２６１で覆われている。発光素子２３０と絶縁層２６１の間は封止層２１３で充填されている。
【００８２】
表示パネルは、光取り出し部２２４及び駆動回路部２２６に、複数のトランジスタを有する。トランジスタ２４０は、絶縁層２２５上に設けられている。絶縁層２２５と基板２２１は接着層２２３によって貼り合わされている。また、絶縁層２５５と基板２２２は接着層２５８によって貼り合わされている。絶縁層２２５や絶縁層２５５に透水性の低い膜を用いると、発光素子２３０やトランジスタ２４０に水等の不純物が侵入することを抑制でき、表示パネルの信頼性が高くなるため好ましい。
【００８３】
透水性の低い絶縁膜としては、窒化シリコン膜、窒化酸化シリコン膜等の窒素と珪素を含む膜や、窒化アルミニウム膜等の窒素とアルミニウムを含む膜等が挙げられる。また、酸化シリコン膜、酸化窒化シリコン膜、酸化アルミニウム膜等を用いてもよい。
【００８４】
例えば、透水性の低い絶縁膜の水蒸気透過量は、１×１０−５［ｇ／ｍ２・ｄａｙ］以下、好ましくは１×１０−６［ｇ／ｍ２・ｄａｙ］以下、より好ましくは１×１０−７［ｇ／ｍ２・ｄａｙ］以下、さらに好ましくは１×１０−８［ｇ／ｍ２・ｄａｙ］以下とする。
【００８５】
具体例１では、耐熱性の高い作製基板上で絶縁層２２５やトランジスタ２４０、発光素子２３０を作製し、該作製基板を剥離し、接着層２２３を用いて基板２２１上に絶縁層２２５やトランジスタ２４０、発光素子２３０を転置することで作製できる表示パネルを示している。また、具体例１では、耐熱性の高い作製基板上で絶縁層２５５、着色層２５９及び遮光層２５７を作製し、該作製基板を剥離し、接着層２５８を用いて基板２２２上に絶縁層２５５、着色層２５９及び遮光層２５７を転置することで作製できる表示パネルを示している。
【００８６】
基板に、耐熱性が低い材料（樹脂など）を用いる場合、作製工程で基板に高温をかけることができないため、該基板上にトランジスタや絶縁膜を作製する条件に制限がある。また、表示パネルの基板に透水性が高い材料（樹脂など）を用いる場合、基板と発光素子の間に、高温をかけて、透水性の低い膜を形成することが好ましい。本実施の形態の作製方法では、耐熱性の高い作製基板上でトランジスタ等の作製を行えるため、高温をかけて、信頼性の高いトランジスタや十分に透水性の低い絶縁膜を形成することができる。そして、それらを耐熱性の低い基板へと転置することで、信頼性の高い表示パネルを作製できる。これにより、本発明の一態様では、軽量又は薄型であり、且つ信頼性の高い表示パネルを実現できる。作製方法の詳細は後述する。
【００８７】
基板２２１及び基板２２２には、それぞれ、靱性が高い材料を用いることが好ましい。これにより、耐衝撃性に優れ、破損しにくい表示パネルを実現できる。例えば、基板２２２を有機樹脂基板とし、基板２２１を厚さの薄い金属材料や合金材料を用いた基板とすることで、基板にガラス基板を用いる場合に比べて、軽量であり、破損しにくい表示パネルを実現できる。
【００８８】
金属材料や合金材料は熱伝導性が高く、基板全体に熱を容易に伝導できるため、表示パネルの局所的な温度上昇を抑制することができ、好ましい。金属材料や合金材料を用いた基板の厚さは、１０μｍ以上２００μｍ以下が好ましく、２０μｍ以上５０μｍ以下であることがより好ましい。
【００８９】
また、基板２２１に、熱放射率が高い材料を用いると表示パネルの表面温度が高くなることを抑制でき、表示パネルの破壊や信頼性の低下を抑制できる。例えば、基板２２１を金属基板と熱放射率の高い層（例えば、金属酸化物やセラミック材料を用いることができる）の積層構造としてもよい。
【００９０】
＜具体例２＞
図９（Ａ）に本発明の一態様の表示パネルにおける光取り出し部２２４の別の例を示す。図９（Ａ）の表示パネルは、タッチ操作が可能な表示パネルである。なお、以下の各具体例では、具体例１と同様の構成については説明を省略する。
【００９１】
図９（Ａ）に示す表示パネルは、基板２２１、接着層２２３、絶縁層２２５、複数のトランジスタ、絶縁層２２７、絶縁層２２９、複数の発光素子、絶縁層２１１、絶縁層２１７、封止層２１３、絶縁層２６１、着色層２５９、遮光層２５７、複数の受光素子、導電層２８１、導電層２８３、絶縁層２９１、絶縁層２９３、絶縁層２９５、絶縁層２５５、接着層２５８、及び基板２２２を有する。
【００９２】
具体例２では、絶縁層２１１上に絶縁層２１７を有する。絶縁層２１７を設けることで、基板２２２と基板２２１の間隔を調整することができる。
【００９３】
図９（Ａ）では、絶縁層２５５及び封止層２１３の間に受光素子を有する例を示す。表示パネルの非発光領域（例えばトランジスタや配線が設けられた領域など、発光素子が設けられていない領域）に重ねて受光素子を配置することができるため、画素（発光素子）の開口率を低下させることなく表示パネルにタッチセンサを設けることができる。
【００９４】
本発明の一態様の表示パネルが有する受光素子には、例えば、ｐｎ型又はｐｉｎ型のフォトダイオードを用いることができる。本実施の形態では、受光素子として、ｐ型半導体層２７１、ｉ型半導体層２７３、及びｎ型半導体層２７５を有するｐｉｎ型のフォトダイオードを用いる。
【００９５】
なお、ｉ型半導体層２７３は、含まれるｐ型を付与する不純物及びｎ型を付与する不純物がそれぞれ１×１０２０ｃｍ−３以下の濃度であり、暗伝導度に対して光伝導度が１００倍以上である。ｉ型半導体層２７３には、周期表第１３族もしくは第１５族の不純物元素を有するものもその範疇に含む。すなわち、ｉ型の半導体は、価電子制御を目的とした不純物元素を意図的に添加しないときに弱いｎ型の電気伝導性を示すので、ｉ型半導体層２７３は、ｐ型を付与する不純物元素を、成膜時或いは成膜後に、意図的もしくは非意図的に添加されたものをその範疇に含む。
【００９６】
遮光層２５７は、受光素子よりも基板２２１側に位置しており、受光素子と重なる。受光素子と封止層２１３との間に位置する遮光層２５７によって、発光素子２３０の発する光が受光素子に照射されることを抑制できる。
【００９７】
導電層２８１及び導電層２８３は、それぞれ受光素子と電気的に接続する。導電層２８１は、受光素子に入射する光を透過する導電層を用いることが好ましい。導電層２８３は、受光素子に入射する光を遮る導電層を用いることが好ましい。
【００９８】
光学式タッチセンサを基板２２２と封止層２１３の間に有すると、発光素子２３０の発光の影響を受けにくく、Ｓ／Ｎ比を向上させることができるため、好ましい。
【００９９】
＜具体例３＞
図９（Ｂ）に本発明の一態様の表示パネルにおける光取り出し部２２４の別の例を示す。図９（Ｂ）の表示パネルは、タッチ操作が可能な表示パネルである。
【０１００】
図９（Ｂ）に示す表示パネルは、基板２２１、接着層２２３、絶縁層２２５、複数のトランジスタ、絶縁層２２７、絶縁層２２９ａ、絶縁層２２９ｂ、複数の発光素子、絶縁層２１１、絶縁層２１７、封止層２１３、着色層２５９、遮光層２５７、複数の受光素子、導電層２８０、導電層２８１、絶縁層２５５、接着層２５８、及び基板２２２を有する。
【０１０１】
図９（Ｂ）では、絶縁層２２５及び封止層２１３の間に受光素子を有する例を示す。受光素子を絶縁層２２５及び封止層２１３の間に設けることで、トランジスタ２４０を構成する導電層や半導体層と同一の材料、同一の工程で、受光素子と電気的に接続する導電層や受光素子を構成する光電変換層を作製できる。したがって、作製工程を大きく増加させることなく、タッチ操作が可能な表示パネルを作製できる。
【０１０２】
＜具体例４＞
図１０（Ａ）に本発明の一態様の表示パネルの別の例を示す。図１０（Ａ）の表示パネルは、タッチ操作が可能な表示パネルである。
【０１０３】
図１０（Ａ）に示す表示パネルは、基板２２１、接着層２２３、絶縁層２２５、複数のトランジスタ、導電層１５６、導電層１５７、絶縁層２２７、絶縁層２２９、複数の発光素子、絶縁層２１１、絶縁層２１７、封止層２１３、着色層２５９、遮光層２５７、絶縁層２５５、導電層２７２、導電層２７４、絶縁層２７６、絶縁層２７８、導電層２９４、導電層２９６、接着層２５８、及び基板２２２を有する。
【０１０４】
図１０（Ａ）では、絶縁層２５５及び封止層２１３の間に静電容量式のタッチセンサを有する例を示す。静電容量式のタッチセンサは、導電層２７２及び導電層２７４を有する。
【０１０５】
導電層１５６及び導電層１５７は、接続体２１５を介してＦＰＣ２２８と電気的に接続する。導電層２９４及び導電層２９６は、導電性粒子２９２を介して導電層２７４と電気的に接続する。したがって、ＦＰＣ２２８を介して静電容量式のタッチセンサを駆動することができる。
【０１０６】
＜具体例５＞
図１０（Ｂ）に本発明の一態様の表示パネルの別の例を示す。図１０（Ｂ）の表示パネルは、タッチ操作が可能な表示パネルである。
【０１０７】
図１０（Ｂ）に示す表示パネルは、基板２２１、接着層２２３、絶縁層２２５、複数のトランジスタ、導電層１５６、導電層１５７、絶縁層２２７、絶縁層２２９、複数の発光素子、絶縁層２１１、絶縁層２１７、封止層２１３、着色層２５９、遮光層２５７、絶縁層２５５、導電層２７０、導電層２７２、導電層２７４、絶縁層２７６、絶縁層２７８、接着層２５８、基板２２２を有する。
【０１０８】
図１０（Ｂ）では、絶縁層２５５及び封止層２１３の間に静電容量式のタッチセンサを有する例を示す。静電容量式のタッチセンサは、導電層２７２及び導電層２７４を有する。
【０１０９】
導電層１５６及び導電層１５７は、接続体２１５ａを介してＦＰＣ２２８ａと電気的に接続する。導電層２７０は、接続体２１５ｂを介してＦＰＣ２２８ｂと電気的に接続する。したがって、ＦＰＣ２２８ａを介して発光素子２３０やトランジスタ２４０を駆動し、ＦＰＣ２２８ｂを介して静電容量式のタッチセンサを駆動することができる。
【０１１０】
＜具体例６＞
図１１（Ａ）に本発明の一態様の表示パネルにおける光取り出し部２２４の別の例を示す。
【０１１１】
図１１（Ａ）に示す表示パネルは、基板２２２、接着層２５８、絶縁層２２５、複数のトランジスタ、絶縁層２２７、導電層２３７、絶縁層２２９ａ、絶縁層２２９ｂ、複数の発光素子、絶縁層２１１、封止層２１３、着色層２５９、及び基板２３９を有する。
【０１１２】
発光素子２３０は、下部電極２３１、ＥＬ層２３３、及び上部電極２３５を有する。下部電極２３１は、導電層２３７を介してトランジスタ２４０のソース電極又はドレイン電極と電気的に接続する。下部電極２３１の端部は、絶縁層２１１で覆われている。発光素子２３０はボトムエミッション構造である。下部電極２３１は透光性を有し、ＥＬ層２３３が発する光を透過する。
【０１１３】
発光素子２３０と重なる位置に、着色層２５９が設けられ、発光素子２３０が発する光は、着色層２５９を介して基板２２２側に取り出される。発光素子２３０と基板２３９の間は封止層２１３で充填されている。基板２３９は、前述の基板２２１と同様の材料を用いて作製できる。
【０１１４】
＜具体例７＞
図１１（Ｂ）に本発明の一態様の表示パネルの別の例を示す。
【０１１５】
図１１（Ｂ）に示す表示パネルは、基板２２２、接着層２５８、絶縁層２２５、導電層３１０ａ、導電層３１０ｂ、複数の発光素子、絶縁層２１１、導電層２１２、封止層２１３、及び基板２３９を有する。
【０１１６】
導電層３１０ａ及び導電層３１０ｂは、表示パネルの外部接続電極であり、ＦＰＣ等と電気的に接続させることができる。
【０１１７】
発光素子２３０は、下部電極２３１、ＥＬ層２３３、及び上部電極２３５を有する。下部電極２３１の端部は、絶縁層２１１で覆われている。発光素子２３０はボトムエミッション構造である。下部電極２３１は透光性を有し、ＥＬ層２３３が発する光を透過する。導電層２１２は、下部電極２３１と電気的に接続する。
【０１１８】
基板２２２は、光取り出し構造として、半球レンズ、マイクロレンズアレイ、凹凸構造が施されたフィルム、光拡散フィルム等を有していてもよい。例えば、樹脂基板上に上記レンズやフィルムを、該基板又は該レンズもしくはフィルムと同程度の屈折率を有する接着剤等を用いて接着することで、光取り出し構造を有する基板２２２を形成することができる。
【０１１９】
導電層２１２は必ずしも設ける必要は無いが、下部電極２３１の抵抗に起因する電圧降下を抑制できるため、設けることが好ましい。また、同様の目的で、上部電極２３５と電気的に接続する導電層を絶縁層２１１上、ＥＬ層２３３上、又は上部電極２３５上などに設けてもよい。
【０１２０】
導電層２１２は、銅、チタン、タンタル、タングステン、モリブデン、クロム、ネオジム、スカンジウム、ニッケル、アルミニウムから選ばれた材料又はこれらを主成分とする合金材料等を用いて、単層で又は積層して形成することができる。導電層２１２の膜厚は、例えば０．１μｍ以上３μｍ以下とすることができ、好ましくは、０．１μｍ以上０．５μｍ以下である。
【０１２１】
上部電極２３５と電気的に接続する導電層の材料にペースト（銀ペーストなど）を用いると、該導電層を構成する金属が粒状になって凝集する。そのため、該導電層の表面が粗く隙間の多い構成となり、例えば、絶縁層２１１上に該導電層を形成しても、ＥＬ層２３３が該導電層を完全に覆うことが難しく、上部電極と該導電層との電気的な接続をとることが容易になり好ましい。
【０１２２】
＜材料の一例＞
次に、本発明の一態様の表示パネルに用いることができる材料等を説明する。なお、本明細書中で先に記載した内容も参酌できる。
【０１２３】
基板２２１、基板２２２、及び基板２３９として用いる材料としては、ガラスや金属、有機樹脂等が挙げられる。表示パネルにおける表示面側の基板には、可視光を透過する材料を用いる。
【０１２４】
ガラスに比べて有機樹脂は比重が小さいため、基板として有機樹脂を用いると、ガラスを用いる場合に比べて表示パネルを軽量化でき、好ましい。
【０１２５】
可撓性及び可視光に対する透過性を有する材料としては、例えば、可撓性を有する程度の厚さのガラスや、ポリエチレンテレフタレート（ＰＥＴ）、ポリエチレンナフタレート（ＰＥＮ）等のポリエステル樹脂、ポリアクリロニトリル樹脂、ポリイミド樹脂、ポリメチルメタクリレート樹脂、ポリカーボネート（ＰＣ）樹脂、ポリエーテルスルホン（ＰＥＳ）樹脂、ポリアミド樹脂、シクロオレフィン樹脂、ポリスチレン樹脂、ポリアミドイミド樹脂、ポリ塩化ビニル樹脂等が挙げられる。特に、熱膨張係数の低い材料を用いることが好ましく、例えば、ポリアミドイミド樹脂、ポリイミド樹脂、ＰＥＴ等を好適に用いることができる。また、ガラス繊維に有機樹脂を含浸した基板や、無機フィラーを有機樹脂に混ぜて熱膨張係数を下げた基板を使用することもできる。
【０１２６】
基板としては、上記材料を用いた層が、表示パネルの表面を傷などから保護するハードコート層（例えば、窒化シリコン層など）や、押圧を分散可能な材質の層（例えば、アラミド樹脂層など）等と積層されて構成されていてもよい。また、水分等による発光素子の寿命の低下等を抑制するために、透水性の低い絶縁膜を有していてもよい。
【０１２７】
接着層２２３や接着層２５８のうち、表示パネルにおける表示面側の接着層には、可視光を透過する材料を用いる。
【０１２８】
接着層には、二液混合型の樹脂などの常温で硬化する樹脂、光硬化性の樹脂、熱硬化性の樹脂などの樹脂を用いることができる。例えば、エポキシ樹脂、アクリル樹脂、シリコーン樹脂、フェノール樹脂等が挙げられる。特に、エポキシ樹脂等の透湿性が低い材料が好ましい。
【０１２９】
また、上記樹脂に乾燥剤を含んでいてもよい。例えば、アルカリ土類金属の酸化物（酸化カルシウムや酸化バリウム等）のように、化学吸着によって水分を吸着する物質を用いることができる。または、ゼオライトやシリカゲル等のように、物理吸着によって水分を吸着する物質を用いてもよい。乾燥剤が含まれていると、水分などの不純物が発光素子に侵入することを抑制でき、表示パネルの信頼性が向上するため好ましい。
【０１３０】
また、上記樹脂に屈折率の高いフィラー（酸化チタン等）を混合することにより、発光素子からの光取り出し効率を向上させることができ、好ましい。
【０１３１】
また、接着層には、光を散乱させる散乱部材を有していてもよい。例えば、接着層には、上記樹脂と上記樹脂と屈折率が異なる粒子との混合物を用いることもできる。該粒子は光の散乱部材として機能する。
【０１３２】
樹脂と、該樹脂と屈折率の異なる粒子は、屈折率の差が０．１以上あることが好ましく、０．３以上あることがより好ましい。具体的には樹脂としては、エポキシ樹脂、アクリル樹脂、イミド樹脂、シリコーン等を用いることができる。また粒子としては、酸化チタン、酸化バリウム、ゼオライト等を用いることができる。
【０１３３】
酸化チタンおよび酸化バリウムの粒子は、光を散乱させる性質が強く好ましい。またゼオライトを用いると、樹脂等の有する水を吸着することができ、発光素子の信頼性を向上させることができる。
【０１３４】
表示パネルが有するトランジスタの構造は特に限定されない。例えば、スタガ型のトランジスタとしてもよいし、逆スタガ型のトランジスタとしてもよい。また、トップゲート型又はボトムゲート型のいずれのトランジスタ構造としてもよい。トランジスタに用いる半導体材料は特に限定されず、例えば、シリコン、ゲルマニウム等が挙げられる。または、Ｉｎ−Ｇａ−Ｚｎ系金属酸化物などの、インジウム、ガリウム、亜鉛のうち少なくとも一つを含む酸化物半導体を用いてもよい。
【０１３５】
トランジスタに用いる半導体材料の結晶性についても特に限定されず、非晶質半導体、結晶性を有する半導体（微結晶半導体、多結晶半導体、単結晶半導体、又は一部に結晶領域を有する半導体）のいずれを用いてもよい。結晶性を有する半導体を用いると、トランジスタ特性の劣化を抑制できるため好ましい。
【０１３６】
表示パネルが有する発光素子は、一対の電極（下部電極２３１及び上部電極２３５）と、該一対の電極間に設けられたＥＬ層２３３とを有する。該一対の電極の一方は陽極として機能し、他方は陰極として機能する。
【０１３７】
発光素子は、トップエミッション構造、ボトムエミッション構造、デュアルエミッション構造のいずれであってもよい。光を取り出す側の電極には、可視光を透過する導電膜を用いる。また、光を取り出さない側の電極には、可視光を反射する導電膜を用いることが好ましい。
【０１３８】
可視光を透過する導電膜は、例えば、酸化インジウム、インジウム錫酸化物（ＩＴＯ：Ｉｎｄｉｕｍ  Ｔｉｎ  Ｏｘｉｄｅ）、インジウム亜鉛酸化物、酸化亜鉛、ガリウムを添加した酸化亜鉛などを用いて形成することができる。また、金、銀、白金、マグネシウム、ニッケル、タングステン、クロム、モリブデン、鉄、コバルト、銅、パラジウム、もしくはチタン等の金属材料、これら金属材料を含む合金、又はこれら金属材料の窒化物（例えば、窒化チタン）等も、透光性を有する程度に薄く形成することで用いることができる。また、上記材料の積層膜を導電膜として用いることができる。例えば、銀とマグネシウムの合金とＩＴＯの積層膜などを用いると、導電性を高めることができるため好ましい。また、グラフェン等を用いてもよい。
【０１３９】
可視光を反射する導電膜は、例えば、アルミニウム、金、白金、銀、ニッケル、タングステン、クロム、モリブデン、鉄、コバルト、銅、もしくはパラジウム等の金属材料、又はこれら金属材料を含む合金を用いることができる。また、上記金属材料や合金に、ランタン、ネオジム、又はゲルマニウム等が添加されていてもよい。また、アルミニウムとチタンの合金、アルミニウムとニッケルの合金、アルミニウムとネオジムの合金等のアルミニウムを含む合金（アルミニウム合金）や、銀と銅の合金、銀とパラジウムと銅の合金、銀とマグネシウムの合金等の銀を含む合金を用いて形成することができる。銀と銅を含む合金は、耐熱性が高いため好ましい。さらに、アルミニウム合金膜に接する金属膜又は金属酸化物膜を積層することで、アルミニウム合金膜の酸化を抑制することができる。該金属膜、金属酸化物膜の材料としては、チタン、酸化チタンなどが挙げられる。また、上記可視光を透過する導電膜と金属材料からなる膜とを積層してもよい。例えば、銀とＩＴＯの積層膜、銀とマグネシウムの合金とＩＴＯの積層膜などを用いることができる。
【０１４０】
電極は、それぞれ、蒸着法やスパッタリング法を用いて形成すればよい。そのほか、インクジェット法などの吐出法、スクリーン印刷法などの印刷法、又はメッキ法を用いて形成することができる。
【０１４１】
下部電極２３１及び上部電極２３５の間に、発光素子の閾値電圧より高い電圧を印加すると、ＥＬ層２３３に陽極側から正孔が注入され、陰極側から電子が注入される。注入された電子と正孔はＥＬ層２３３において再結合し、ＥＬ層２３３に含まれる発光物質が発光する。
【０１４２】
ＥＬ層２３３は少なくとも発光層を有する。ＥＬ層２３３は、発光層以外の層として、正孔注入性の高い物質、正孔輸送性の高い物質、正孔ブロック材料、電子輸送性の高い物質、電子注入性の高い物質、又はバイポーラ性の物質（電子輸送性及び正孔輸送性が高い物質）等を含む層をさらに有していてもよい。
【０１４３】
ＥＬ層２３３には低分子系化合物及び高分子系化合物のいずれを用いることもでき、無機化合物を含んでいてもよい。ＥＬ層２３３を構成する層は、それぞれ、蒸着法（真空蒸着法を含む）、転写法、印刷法、インクジェット法、塗布法等の方法で形成することができる。
【０１４４】
絶縁層２２５、絶縁層２５５には、無機絶縁材料を用いることができる。特に、透水性の低い絶縁膜を用いると、信頼性の高い表示パネルを実現できるため好ましい。
【０１４５】
絶縁層２２７は、トランジスタを構成する半導体への不純物の拡散を抑制する効果を奏する。絶縁層２２７としては、酸化シリコン膜、酸化窒化シリコン膜、窒化シリコン膜、窒化酸化シリコン膜、酸化アルミニウム膜などの無機絶縁膜を用いることができる。
【０１４６】
絶縁層２２９、絶縁層２２９ａ、及び絶縁層２２９ｂとしては、それぞれ、トランジスタ起因等の表面凹凸を低減するために平坦化機能を有する絶縁膜を選択するのが好適である。例えば、ポリイミド、アクリル、ベンゾシクロブテン系樹脂等の有機材料を用いることができる。また、上記有機材料の他に、低誘電率材料（ｌｏｗ−ｋ材料）等を用いることができる。なお、これらの材料で形成される絶縁膜や無機絶縁膜を用いた積層構造としてもよい。
【０１４７】
絶縁層２１１は、下部電極２３１の端部を覆って設けられている。絶縁層２１１の上層に形成されるＥＬ層２３３や上部電極２３５の被覆性を良好なものとするため、絶縁層２１１の側壁が連続した曲率を持って形成される傾斜面となることが好ましい。
【０１４８】
絶縁層２１１の材料としては、樹脂又は無機絶縁材料を用いることができる。樹脂としては、例えば、ポリイミド樹脂、ポリアミド樹脂、アクリル樹脂、シロキサン樹脂、エポキシ樹脂、又はフェノール樹脂等を用いることができる。特に、絶縁層２１１の作製が容易となるため、ネガ型の感光性樹脂、あるいはポジ型の感光性樹脂を用いることが好ましい。
【０１４９】
絶縁層２１１の形成方法は、特に限定されないが、フォトリソグラフィ法、スパッタ法、蒸着法、液滴吐出法（インクジェット法等）、印刷法（スクリーン印刷、オフセット印刷等）等を用いればよい。
【０１５０】
絶縁層２１７は、無機絶縁材料又は有機絶縁材料等を用いて形成することができる。例えば、有機絶縁材料としては、ネガ型やポジ型の感光性樹脂、非感光性樹脂などを用いることができる。また、絶縁層２１７にかえて、導電層を形成してもよい。例えば、金属材料を用いて形成することができる。金属材料としては、チタン、アルミニウムなどを用いることができる。絶縁層２１７の代わりに導電層を用い、導電層と上部電極２３５とを電気的に接続させる構成とすることで、上部電極２３５の抵抗に起因した電位降下を抑制できる。また、絶縁層２１７は、順テーパ形状であっても逆テーパ形状であってもよい。
【０１５１】
絶縁層２７６、絶縁層２７８、絶縁層２９１、絶縁層２９３、絶縁層２９５は、それぞれ、無機絶縁材料又は有機絶縁材料を用いて形成できる。特に絶縁層２７８や絶縁層２９５は、センサ素子起因の表面凹凸を低減するために平坦化機能を有する絶縁層を用いることが好ましい。
【０１５２】
封止層２１３には、二液混合型の樹脂などの常温で硬化する樹脂、光硬化性の樹脂、熱硬化性の樹脂などの樹脂を用いることができる。例えば、ＰＶＣ（ポリビニルクロライド）樹脂、アクリル樹脂、ポリイミド樹脂、エポキシ樹脂、シリコーン樹脂、ＰＶＢ（ポリビニルブチラル）樹脂、ＥＶＡ（エチレンビニルアセテート）樹脂等を用いることができる。封止層２１３に乾燥剤が含まれていてもよい。また、封止層２１３を通過して発光素子２３０の光が表示パネルの外に取り出される場合は、封止層２１３に屈折率の高いフィラーや散乱部材を含むことが好ましい。乾燥剤、屈折率の高いフィラー、散乱部材については、接着層２５８に用いることができる材料と同様の材料が挙げられる。
【０１５３】
導電層１５６、導電層１５７、導電層２９４、及び導電層２９６は、それぞれ、トランジスタ又は発光素子を構成する導電層と同一の材料、同一の工程で形成できる。また、導電層２８０は、トランジスタを構成する導電層と同一の材料、同一の工程で形成できる。
【０１５４】
例えば、上記導電層は、それぞれ、モリブデン、チタン、クロム、タンタル、タングステン、アルミニウム、銅、ネオジム、スカンジウム等の金属材料又はこれらの元素を含む合金材料を用いて、単層で又は積層して形成することができる。また、上記導電層は、それぞれ、導電性の金属酸化物を用いて形成しても良い。導電性の金属酸化物としては酸化インジウム（Ｉｎ２Ｏ３等）、酸化スズ（ＳｎＯ２等）、酸化亜鉛（ＺｎＯ）、ＩＴＯ、インジウム亜鉛酸化物（Ｉｎ２Ｏ３−ＺｎＯ等）又はこれらの金属酸化物材料に酸化シリコンを含ませたものを用いることができる。
【０１５５】
また、導電層２３７、導電層２１２、導電層３１０ａ及び導電層３１０ｂも、それぞれ、上記金属材料、合金材料、又は導電性の金属酸化物等を用いて形成できる。
【０１５６】
導電層２７２及び導電層２７４、並びに、導電層２８１及び導電層２８３は、透光性を有する導電層である。例えば、酸化インジウム、ＩＴＯ、インジウム亜鉛酸化物、酸化亜鉛、ガリウムを添加した酸化亜鉛等を用いることができる。また、導電層２７０は導電層２７２と同一の材料、同一の工程で形成できる。
【０１５７】
導電性粒子２９２は、有機樹脂またはシリカなどの粒子の表面を金属材料で被覆したものを用いる。金属材料としてニッケルや金を用いると接触抵抗を低減できるため好ましい。またニッケルをさらに金で被覆するなど、２種類以上の金属材料を層状に被覆させた粒子を用いることが好ましい。
【０１５８】
接続体２１５としては、熱硬化性の樹脂に金属粒子を混ぜ合わせたペースト状又はシート状の、熱圧着によって異方性の導電性を示す材料を用いることができる。金属粒子としては、例えばニッケル粒子を金で被覆したものなど、２種類以上の金属が層状となった粒子を用いることが好ましい。
【０１５９】
着色層２５９は特定の波長帯域の光を透過する有色層である。例えば、赤色の波長帯域の光を透過する赤色（Ｒ）のカラーフィルタ、緑色の波長帯域の光を透過する緑色（Ｇ）のカラーフィルタ、青色の波長帯域の光を透過する青色（Ｂ）のカラーフィルタなどを用いることができる。各着色層は、様々な材料を用いて、印刷法、インクジェット法、フォトリソグラフィ法を用いたエッチング方法などでそれぞれ所望の位置に形成する。
【０１６０】
また、隣接する着色層２５９の間に、遮光層２５７が設けられている。遮光層２５７は隣接する発光素子から回り込む光を遮光し、隣接画素間における混色を抑制する。ここで、着色層２５９の端部を、遮光層２５７と重なるように設けることにより、光漏れを抑制することができる。遮光層２５７は、発光素子の発光を遮光する材料を用いることができ、金属材料や顔料や染料を含む樹脂材料などを用いて形成することができる。なお、図８（Ｂ）に示すように、遮光層２５７を駆動回路部２２６などの光取り出し部２２４以外の領域に設けると、導波光などによる意図しない光漏れを抑制できるため好ましい。
【０１６１】
また、着色層２５９と遮光層２５７を覆う絶縁層２６１を設けると、着色層２５９や遮光層２５７に含まれる顔料などの不純物が発光素子等に拡散することを抑制できるため好ましい。絶縁層２６１は透光性の材料を用い、無機絶縁材料や有機絶縁材料を用いることができる。絶縁層２６１に透水性の低い絶縁膜を用いてもよい。なお、絶縁層２６１は不要であれば設けなくてもよい。
【０１６２】
＜作製方法例＞
次に、本発明の一態様の表示パネルの作製方法を図１２及び図１３を用いて例示する。ここでは、具体例１（図８（Ｂ））の構成の表示パネルを例に挙げて説明する。
【０１６３】
まず、作製基板３１１上に剥離層３１３を形成し、剥離層３１３上に絶縁層２２５を形成する。次に、絶縁層２２５上に複数のトランジスタ、導電層１５７、絶縁層２２７、絶縁層２２９、複数の発光素子、及び絶縁層２１１を形成する。なお、導電層１５７が露出するように、絶縁層２１１、絶縁層２２９、及び絶縁層２２７は開口する（図１２（Ａ））。
【０１６４】
また、作製基板３０５上に剥離層３０７を形成し、剥離層３０７上に絶縁層２５５を形成する。次に、絶縁層２５５上に遮光層２５７、着色層２５９、及び絶縁層２６１を形成する（図１２（Ｂ））。
【０１６５】
作製基板３１１及び作製基板３０５としては、それぞれ、ガラス基板、石英基板、サファイア基板、セラミック基板、金属基板、有機樹脂基板などを用いることができる。
【０１６６】
また、ガラス基板には、例えば、アルミノシリケートガラス、アルミノホウケイ酸ガラス、バリウムホウケイ酸ガラス等のガラス材料を用いることができる。後の加熱処理の温度が高い場合には、歪み点が７３０℃以上のものを用いるとよい。なお、酸化バリウムを多く含ませることで、より実用的な耐熱ガラスが得られる。他にも、結晶化ガラスなどを用いることができる。
【０１６７】
作製基板にガラス基板を用いる場合、作製基板と剥離層との間に、酸化シリコン膜、酸化窒化シリコン膜、窒化シリコン膜、窒化酸化シリコン膜等の絶縁膜を形成すると、ガラス基板からの汚染を防止でき、好ましい。
【０１６８】
剥離層３１３及び剥離層３０７としては、それぞれ、タングステン、モリブデン、チタン、タンタル、ニオブ、ニッケル、コバルト、ジルコニウム、亜鉛、ルテニウム、ロジウム、パラジウム、オスミウム、イリジウム、シリコンから選択された元素、該元素を含む合金材料、又は該元素を含む化合物材料からなり、単層又は積層された層である。シリコンを含む層の結晶構造は、非晶質、微結晶、多結晶のいずれでもよい。
【０１６９】
剥離層は、スパッタリング法、プラズマＣＶＤ法、塗布法、印刷法等により形成できる。なお、塗布法は、スピンコーティング法、液滴吐出法、ディスペンス法を含む。
【０１７０】
剥離層が単層構造の場合、タングステン層、モリブデン層、又はタングステンとモリブデンの混合物を含む層を形成することが好ましい。また、タングステンの酸化物もしくは酸化窒化物を含む層、モリブデンの酸化物もしくは酸化窒化物を含む層、又はタングステンとモリブデンの混合物の酸化物もしくは酸化窒化物を含む層を形成してもよい。なお、タングステンとモリブデンの混合物とは、例えば、タングステンとモリブデンの合金に相当する。
【０１７１】
また、剥離層として、タングステンを含む層とタングステンの酸化物を含む層の積層構造を形成する場合、タングステンを含む層を形成し、その上層に酸化物で形成される絶縁膜を形成することで、タングステン層と絶縁膜との界面に、タングステンの酸化物を含む層が形成されることを活用してもよい。また、タングステンを含む層の表面を、熱酸化処理、酸素プラズマ処理、亜酸化窒素（Ｎ２Ｏ）プラズマ処理、オゾン水等の酸化力の強い溶液での処理等を行ってタングステンの酸化物を含む層を形成してもよい。またプラズマ処理や加熱処理は、酸素、窒素、亜酸化窒素単独、あるいは該ガスとその他のガスとの混合気体雰囲気下で行ってもよい。上記プラズマ処理や加熱処理により、剥離層の表面状態を変えることにより、剥離層と後に形成される絶縁層との密着性を制御することが可能である。
【０１７２】
各絶縁層は、スパッタリング法、プラズマＣＶＤ法、塗布法、印刷法等を用いて形成することが可能であり、例えば、プラズマＣＶＤ法によって成膜温度を２５０℃以上４００℃以下として形成することで、緻密で非常に透水性の低い膜とすることができる。
【０１７３】
その後、作製基板３０５の着色層２５９等が設けられた面又は作製基板３１１の発光素子２３０等が設けられた面に封止層２１３となる材料を塗布し、封止層２１３を介して該面同士が対向するように、作製基板３１１及び作製基板３０５を貼り合わせる（図１２（Ｃ））。
【０１７４】
そして、作製基板３１１を剥離し、露出した絶縁層２２５と基板２２１を、接着層２２３を用いて貼り合わせる。また、作製基板３０５を剥離し、露出した絶縁層２５５と基板２２２を、接着層２５８を用いて貼り合わせる。図１３（Ａ）では、基板２２２が導電層１５７と重ならない構成としたが、導電層１５７と基板２２２が重なっていてもよい。
【０１７５】
なお、剥離工程は、様々な方法を適宜用いることができる。例えば、剥離層として、被剥離層と接する側に金属酸化膜を含む層を形成した場合は、当該金属酸化膜を結晶化により脆弱化して、被剥離層を作製基板から剥離することができる。また、耐熱性の高い作製基板と被剥離層の間に、剥離層として水素を含む非晶質珪素膜を形成した場合はレーザ光の照射又はエッチングにより当該非晶質珪素膜を除去することで、被剥離層を作製基板から剥離することができる。また、剥離層として、被剥離層と接する側に金属酸化膜を含む層を形成し、当該金属酸化膜を結晶化により脆弱化し、さらに剥離層の一部を溶液やＮＦ３、ＢｒＦ３、ＣｌＦ３等のフッ化ガスを用いたエッチングで除去した後、脆弱化された金属酸化膜において剥離することができる。さらには、剥離層として窒素、酸素や水素等を含む膜（例えば、水素を含む非晶質珪素膜、水素含有合金膜、酸素含有合金膜など）を用い、剥離層にレーザ光を照射して剥離層内に含有する窒素、酸素や水素をガスとして放出させ被剥離層と基板との剥離を促進する方法を用いてもよい。また、被剥離層が形成された作製基板を機械的に除去又は溶液やＮＦ３、ＢｒＦ３、ＣｌＦ３等のフッ化ガスによるエッチングで除去する方法等を用いることができる。この場合、剥離層を設けなくともよい。
【０１７６】
また、上記剥離方法を複数組み合わせることでより容易に剥離工程を行うことができる。つまり、レーザ光の照射、ガスや溶液などによる剥離層へのエッチング、鋭いナイフやメスなどによる機械的な除去を行い、剥離層と被剥離層とを剥離しやすい状態にしてから、物理的な力（機械等による）によって剥離を行うこともできる。
【０１７７】
また、剥離層と被剥離層との界面に液体を浸透させて作製基板から被剥離層を剥離してもよい。また、剥離を行う際に水などの液体をかけながら剥離してもよい。
【０１７８】
その他の剥離方法としては、剥離層をタングステンで形成した場合は、アンモニア水と過酸化水素水の混合溶液により剥離層をエッチングしながら剥離を行うとよい。
【０１７９】
なお、作製基板と被剥離層の界面で剥離が可能な場合には、剥離層を設けなくてもよい。例えば、作製基板としてガラスを用い、ガラスに接してポリイミド、ポリエステル、ポリオレフィン、ポリアミド、ポリカーボネート、アクリル等の有機樹脂を形成し、有機樹脂上に絶縁膜やトランジスタ等を形成する。この場合、有機樹脂を加熱することにより、作製基板と有機樹脂の界面で剥離することができる。又は、作製基板と有機樹脂の間に金属層を設け、該金属層に電流を流すことで該金属層を加熱し、金属層と有機樹脂の界面で剥離を行ってもよい。
【０１８０】
最後に、絶縁層２５５及び封止層２１３を開口することで、導電層１５７を露出させる（図１３（Ｂ））。なお、基板２２２が導電層１５７と重なる構成の場合は、導電層１５７を露出させるために、基板２２２及び接着層２５８も開口する（図１３（Ｃ））。開口の手段は特に限定されず、例えばレーザアブレーション法、エッチング法、イオンビームスパッタリング法などを用いればよい。また、導電層１５７上の膜に鋭利な刃物等を用いて切り込みを入れ、物理的な力で膜の一部を引き剥がしてもよい。
【０１８１】
以上により、本発明の一態様の表示パネルを作製することができる。
【０１８２】
以上に示したように、本発明の一態様の表示パネルは、基板２２２と、基板２２１又は基板２３９と、の２枚の基板で構成される。さらにタッチセンサを含む構成であっても、２枚の基板で構成することができる。基板の数を最低限とすることで、光の取り出し効率の向上や表示の鮮明さの向上が容易となる。
【０１８３】
本実施の形態は、他の実施の形態と適宜組み合わせることができる。
【符号の説明】
【０１８４】
１０１    表示ユニット
１０１ａ    表示ユニット
１０１ｂ    表示ユニット
１０１ｃ    表示ユニット
１０１ｄ    表示ユニット
１０３    筐体
１０３ａ    筐体
１０３ｂ    筐体
１０６    連結部
１１０    表示装置
１２０    表示装置
１３０    表示装置
１４０    表示装置
１５６    導電層
１５７    導電層
２０１    支持体
２０３    表示パネル
２０３ａ    表示領域
２０３ｂ    非表示領域
２０５    凸部
２０７    凸部
２１１    絶縁層
２１２    導電層
２１３    封止層
２１５    接続体
２１５ａ    接続体
２１５ｂ    接続体
２１７    絶縁層
２２１    基板
２２２    基板
２２３    接着層
２２４    光取り出し部
２２５    絶縁層
２２６    駆動回路部
２２７    絶縁層
２２８    ＦＰＣ
２２８ａ    ＦＰＣ
２２８ｂ    ＦＰＣ
２２９    絶縁層
２２９ａ    絶縁層
２２９ｂ    絶縁層
２３０    発光素子
２３１    下部電極
２３３    ＥＬ層
２３５    上部電極
２３７    導電層
２３９    基板
２４０    トランジスタ
２５５    絶縁層
２５７    遮光層
２５８    接着層
２５９    着色層
２６１    絶縁層
２７０    導電層
２７１    ｐ型半導体層
２７２    導電層
２７３    ｉ型半導体層
２７４    導電層
２７５    ｎ型半導体層
２７６    絶縁層
２７８    絶縁層
２８０    導電層
２８１    導電層
２８３    導電層
２９１    絶縁層
２９２    導電性粒子
２９３    絶縁層
２９４    導電層
２９５    絶縁層
２９６    導電層
３０１    領域
３０３    領域
３０５    作製基板
３０７    剥離層
３１０ａ    導電層
３１０ｂ    導電層
３１１    作製基板
３１３    剥離層
【図１】
2014225010.tif 000003
【図２】
2014225010.tif 000004
【図３】
2014225010.tif 000005
【図４】
2014225010.tif 000006
【図５】
2014225010.tif 000007
【図６】
2014225010.tif 000008
【図７】
2014225010.tif 000009
【図８】
2014225010.tif 000010
【図９】
2014225010.tif 000011
【図１０】
2014225010.tif 000012
【図１１】
2014225010.tif 000013
【図１２】
2014225010.tif 000014
【図１３】
2014225010.tif 000015